(57)【要約】【課題】  仮設置時におけるシートの自立を、構成の複雑化等を伴うことなく確保可能とする。【解決手段】  シートレッグ１０が、床体１２の位置決め孔１４に挿入されるロケートピン１６を、その位置決め手段として一体に垂下してなるとともに、位置決め孔への挿通後にこの位置決め孔周縁に係合される顎部３６が、そのロケートピンに形成されている。なお、ロケートピンの顎部３６は、同軸上の小径部１６ａと大径部１６ｂとの段差として、その全周に亘って形成することが好ましい。【選択図】          図１
2007091093.tif 000002
【特許請求の範囲】
【請求項１】
シートクッションおよびシートバックを一括支持するとともに、床体の位置決め孔に挿入されるロケートピンを位置決め手段として一体に垂下してなる、左右一対のシートレッグ構造において、
床体の上記位置決め孔への挿通後に当該位置決め孔周縁に係合される顎部を、上記ロケートピンに形成したことを特徴とするシートレッグ構造。
【請求項２】
ロケートピンの前記顎部が、同軸上の小径部と大径部との段差として、その全周に亘って形成された請求項１記載のシートレッグ構造。
【発明の詳細な説明】
【技術分野】
【０００１】
本発明は、シートクッションおよびシートバックを一括支持する左右一対のシートレッグ構造、特に床体の位置決め孔に挿入されるロケートピンを位置決め手段として一体に垂下してなるシートレッグ構造に関する。
【背景技術】
【０００２】
たとえば、特開２００４−２９９６２４号公報あるいは特開２００１−１８０３５０号公報等に開示のチップアップシートのような、いわゆる折りたたみシートは、通常、シートクッション、シートバックを一括支持する左右一対のシートレッグを備えて形成されている。そして、この前者のような、床体に直接的に固定される、いわゆる据付け型のシートにおいては、通常、このシートレッグに設けられた前後のボルト挿通孔を介した、床体（フロアパネル）のボルト孔に対するボルトの締結により、その床体に対して固定されるものとなっている。
【０００３】
ところで、この前出の前者、特開２００４−２９９６２４号公報に開示の構成においては、折りたたみシートが床体の段差部分に固定されているが、これに限らず、たとえば、平坦な床体上に折りたたみシートを固定することも、シートレイアウト上、当然あり得ることである（図３参照）。
【０００４】
この場合、折りたたみシートは、まず、シートレッグの前後のボルト挿通孔を対応ボルト孔に整列させた状態で床体上に仮設置される。そして、その仮設置状態での、床体のボルト孔に対する、ボルト挿通孔を介したボルトの螺着、定着により、床体へのシートレッグの固定、つまり折りたたみシートの取り付けが行われるが、この種のシートにおいては前後の重量バランスが悪く、仮設置時におけるシート自体の自立が困難であるため、手で押さえながらの固定作業が、作業者に要求されている。
【０００５】
しかしながら、このような手で押さえながらの作業は、固定作業に片手が使えないばかりでなく、ボルト孔からのボルト挿通孔の離反も伴われやすいため、その作業性の低下が避けられない。
【特許文献１】特開２００４−２９９６２４号公報
【特許文献２】特開２００１−１８０３５０号公報
【発明の開示】
【発明が解決しようとする課題】
【０００６】
解決しようとする問題点は、シートクッションおよびシートバックを一括支持するシートレッグであると、仮設置時におけるそのシートの自立が容易に確保できないという点である。
【課題を解決するための手段】
【０００７】
本発明の請求項１に係るシートレッグ構造は、床体の位置決め孔への挿通後に当該位置決め孔周縁に係合される顎部を、その位置決め手段となるロケートピンに形成したことを、その最も主要な特徴としている。
【０００８】
また、本発明の請求項２は、ロケートピンの顎部を、同軸上の小径部と大径部との段差としてその全周に亘って形成したことを、その最も主要な特徴としている。
【発明の効果】
【０００９】
本発明の請求項１に示すシートレッグ構造によれば、シートレッグに一体に垂下された位置決め手段となるロケートピンの顎部が、床体の対応する位置決め孔への挿入後にその周縁に係合されるため、これを支持力としたシートの自立が容易に確保可能となる。つまり、手で押さえながらの固定作業が不要となるため、その作業性が確実に向上されるという利点がある。
【００１０】
また、位置決め手段として一般的に用いられるロケートピンの形状を変更するのみで、仮設置時におけるシートの自立が得られるため、その構成の複雑化は伴われないという利点も、この請求項１によれば得られる。
【００１１】
そして、この発明の請求項２に示すように、同軸上の小径部と大径部とによりなる全周段差として、このロケートピンの顎部を形成すれば、顎部自体の係合指向性が不問となるため、ロケートピン自体の製造が容易となるばかりでなく、シートレッグに対するロケートピンの組み付け作業の簡単化や、位置決め孔周縁への顎部の係合の確実性が向上されるという利点が得られる。
【発明を実施するための最良の形態】
【００１２】
仮設置時におけるシートの自立を、構成の複雑化等を伴うことなく確保可能とした。
【実施例】
【００１３】
図１、図２は、本発明のシートレッグ構造を示す縦断面図、および概略分解斜視図であり、図示のように、このシートレッグ構造においては、左右一対のシートレッグ１０が、床体１２の位置決め孔１４に挿通可能な、位置決め手段となるロケートピン１６を一体に垂下した形態として形成されている。
【００１４】
図３を見るとわかるように、このシートレッグ１０は、シートクッション１８、シートバック２０を一括支持するものとして、その左右にそれぞれ配設される。そして、シートクッション１８、シートバック２０の少なくとも一方を回動可能とすることにより、これによるシートは、通常、折りたたみシートとして形成される。
【００１５】
なお、チップアップシート等の跳ね上げシートに代表されるこの種の折りたたみシート自体は公知であり、また、この折りたたみシート自体の基本構成はこの発明の主旨でないため、この折りたたみシートに対するここでの詳細な説明は省略する。
【００１６】
ここで、図１、図２に示すように、このシートレッグ１０においては、床体１２のボルト孔２２，２３に整列可能なボルト挿通孔２６，２７が、シートレッグの前後片１０ａ，１０ｂに形成されている。そして、このシートレッグ前後のボルト挿通孔２６，２７を介した、床体１２のボルト孔２２，２３に対するボルト３０，３１の螺着、締結により、その床体に対するシートレッグ１０の固定、つまり床体に対するシートの取り付けが行われるものとなっている。
【００１７】
ところで、図１、図２に示すように、上述したように、この種のシートレッグ１０においては、通常、床体の位置決め孔１４に挿入されるロケートピン１６が、床体に対するシートレッグの位置決め手段として、当該シートレッグの対応箇所に一体に垂下されている。そして、この発明においては、床体の位置決め孔１４への挿通後に当該位置決め孔周縁に係合される顎部３６が、そのロケートピン１６に形成されている。
【００１８】
この顎部３６は、たとえば、同軸上の小径部１６ａと大径部１６ｂとの段差として、その全周に亘って形成される。
【００１９】
このような構成においては、まず、図４に示すような、位置決め孔１４へのロケートピン１６の挿通による位置決めを伴って、シートレッグ１０、つまりこのシートレッグを備えた折りたたみシートの仮設置が行われる。
【００２０】
このとき、このシートレッグ１０を備えた折りたたみシートは、シートクッション１８の重みにより、たとえば、シートレッグを浮き上がらせるように倒れ込もうとする（図３参照）。しかしながら、この発明においては、ロケートピン１６が、床体の位置決め孔１４の周縁に係合可能な顎部３６を有する構成であるため、図５に示すように、その浮き上がりに伴った位置決め孔周縁へのロケートピン顎部の係合により、その浮き上がり、つまりは折りたたみシート全体の倒れこみが確実に防止される。
【００２１】
このように、この発明のシートレッグ構造においては、位置決め孔周縁へのロケートピン顎部３６の係合により、床体１２からのシートレッグ１０の浮き上がり、ひいては折りたたみシートの倒れ込みが確実に防止される。つまり、この位置決め孔１４周縁へのロケートピン顎部３６の係合力を支持力とする折りたたみシートの自立が、床体上へのその仮設置時における得られるため、手でシートを押さえることのない固定作業が可能となる。よって、その固定作業の作業性が確実に向上される。
【００２２】
そして、従来から設けられているロケートピン１６に、床体の位置決め孔１４の周縁に係合可能な顎部３６を設ければ足りるため、その構成の複雑化は伴われない。
【００２３】
ここで、この実施例においては、同軸上の小径部１６ａと大径部１６ｂとの全周段差として、ロケートピン１６の顎部３６を具体化しているが、床体の位置決め孔１４周縁に係合可能であれば足りるため、これに限定されず、たとえば、ロケートピンの一部の切欠き等により、この顎部を形成しても良い。
【００２４】
しかしながら、この実施例のように、同軸上の小径部１６ａと大径部１６ｂとの全周段差として、このロケートピンの顎部３６を形成すれば、顎部自体の係合指向性が不問となるため、ロケートピン自体の製造が容易となるばかりでなく、シートレッグ１０に対するロケートピン１２の組み付け作業の簡単化や、位置決め孔周縁への顎部の係合の確実性が容易に向上される。
【００２５】
上述した実施例は、この発明を説明するためのものであり、この発明を何等限定するものでなく、この発明の技術範囲内で変形、改造等の施されたものも全てこの発明に包含されることはいうまでもない。
【産業上の利用可能性】
【００２６】
この実施例においては、折りたたみシートのシートレッグを具体的に説明しているが、シートクッション、シートバックを一括支持するシートレッグであれば足りるため、折りたたみシートに限定されるものではない。また、車両用シートに限定されるものではなく、建造物等に据え付けられるシートのシートレッグに、この発明を応用してもよい。
【図面の簡単な説明】
【００２７】
【図１】この発明に係るシートレッグ構造を示す、シートレッグおよび床体の部分縦断面図である。
【図２】シートレッグ構造を示す、床体からのシートレッグの概略分解斜視図である。
【図３】シートレッグの設けられた折りたたみシートの概略側面図である。
【図４】仮設置時における、シートレッグおよび床体の部分縦断面図である。
【図５】自立状態での、シートレッグおよび床体の部分縦断面図である。
【符号の説明】
【００２８】
１０  シートレッグ
１２  床体
１４  位置決め孔
１６  ロケートピン
３６  顎部
【図１】
2007091093.tif 000003
【図２】
2007091093.tif 000004
【図３】
2007091093.tif 000005
【図４】
2007091093.tif 000006
【図５】
2007091093.tif 000007